(57)【要約】【課題】よりアイキャッチ効果が高い多重成形体付き化粧料容器を提供することを課題とする。【解決手段】化粧料Ｍ１，Ｍ２を収容する化粧料容器１と、化粧料容器１に備えられ多重成形により形成された多重成形体２と、を具備し、多重成形体２を、透明な樹脂材料から形成された柱体８内に、樹脂材料から形成され着色された立体有形物Ｔ１，Ｔ２を複数個埋設する構成とする。各立体有形物Ｔ１，Ｔ２の光の屈折の効果により、各立体有形物Ｔ１，Ｔ２が宙に浮遊しているように見えるのに加えて、複数の立体有形物Ｔ１，Ｔ２が同時に見えることにより、立体有形物Ｔ１，Ｔ２同士を見比べることができ、立体有形物Ｔ１，Ｔ２が宙に浮遊しているように見える度合いを一層高める。【選択図】図２
2019205601.tif 000002
【特許請求の範囲】
【請求項１】
化粧料を収容する化粧料容器と、
前記化粧料容器に備えられ多重成形により形成された多重成形体と、を具備し、
前記多重成形体は、透明な樹脂材料から形成された柱体と、
前記柱体内に複数個が埋設され、樹脂材料から形成されて着色された立体有形物と、を備えることを特徴とする多重成形体付き化粧料容器。
【請求項２】
前記柱体は、前記透明な樹脂材料から形成され天面及び底面を有する筒状体を有し、
前記筒状体と前記立体有形物との間に、前記透明な樹脂材料が充填されていることを特徴とする請求項１記載の多重成形体付き化粧料容器。
【請求項３】
前記化粧料容器に収容されている前記化粧料と同数の前記立体有形物を備えることを特徴とする請求項１又は２記載の多重成形体付き化粧料容器。
【請求項４】
前記化粧料容器には前記化粧料が複数色収容され、前記立体有形物の各々は、前記化粧料のそれぞれと同色とされていることを特徴とする請求項１〜３の何れか一項に記載の多重成形体付き化粧料容器。
【請求項５】
前記多重成形体は、前記化粧料容器の後端部の操作部又はキャップの先端部に固定されていることを特徴とする請求項１〜４の何れか一項に記載の多重成形体付き化粧料容器。
【発明の詳細な説明】
【技術分野】
【０００１】
本発明は、多重成形体付き化粧料容器に関する。
【背景技術】
【０００２】
従来、色見本を備えた化粧料容器としては、以下の特許文献１に記載されている色見本付きテスターが知られている。この特許文献１にあっては、色見本は、色の異なる溶融樹脂を金型内に順番に射出し一体的に成形する多重成形体としての二色成形体とされている。具体的には、着色樹脂材料を射出成形して有天略四角筒状に立設する一次成形体を得、この一次成形体の天面及び側面を覆うように、透明樹脂材料を射出成形して有天略四角筒状に立設する二次成形体を得、これらの一次成形体及び二次成形体により二色成形体が構成される。この二色成形体では、一次成形体の色が、透明な二次成形体の内側に透けて見えるため、単なる着色成形品に比べて、艶やかで美麗な外観を呈し見栄えが良いとされている。
【先行技術文献】
【特許文献】
【０００３】
【特許文献１】特許第５１５４９８３号
【発明の概要】
【発明が解決しようとする課題】
【０００４】
しかしながら、最近にあっては、よりアイキャッチ効果が高い多重成形体が付いたテスターを含む化粧料容器が求められている。
【０００５】
そこで、本発明は、よりアイキャッチ効果が高い多重成形体付き化粧料容器を提供することを目的とする。
【課題を解決するための手段】
【０００６】
本発明による多重成形体付き化粧料容器は、化粧料を収容する化粧料容器と、化粧料容器に備えられ多重成形により形成された多重成形体と、を具備し、多重成形体は、透明な樹脂材料から形成された柱体と、柱体内に複数個が埋設され、樹脂材料から形成されて着色された立体有形物と、を備えることを特徴としている。
【０００７】
このような多重成形体付き化粧料容器によれば、透明な樹脂材料から形成された柱体内に、樹脂材料から形成され着色された立体有形物が複数個埋設されているため、各立体有形物の光の屈折の効果により、各立体有形物が宙に浮遊しているように見えるのに加えて、複数の立体有形物が同時に見えることにより、立体有形物同士を見比べることができ、立体有形物が宙に浮遊しているように見える度合いを一層高めることができ、よりアイキャッチ効果を高めることができる。なお、１個の立体有形物の場合には、比較する立体有形物がないため、浮遊して見える効果が低く、立体有形物を複数とした場合に比して、アイキャッチ効果は低くなる。
【０００８】
ここで、上記多重成形体付き化粧料容器の構成としては、具体的には、柱体は、透明な樹脂材料から形成され天面及び底面を有する筒状体を有し、筒状体と立体有形物との間に、透明な樹脂材料が充填されている構成が挙げられる。
【０００９】
また、化粧料容器に収容されている化粧料と同数の立体有形物を備えていると、立体有形物の数を認識することにより、化粧料容器に収容されている化粧料の数を把握することができ、使い勝手が良い。
【００１０】
また、化粧料容器には化粧料が複数色収容され、立体有形物の各々は、化粧料のそれぞれと同色とされていると、各立体有形物の色を見れば、化粧料容器に収容されている化粧料の色を把握することができ、使い勝手が良い。特に、多重成形体付き化粧料容器を複数所有し、各々の多重成形体付き化粧料容器で、収容されている化粧料の色が違う場合には、使用者は、それぞれの多重成形体の立体有形物の色によって、同色の化粧料を収容する多重成形体付き化粧料容器を簡易に判別でき、使い勝手が良い。
【００１１】
また、多重成形体は、化粧料容器の後端部の操作部又はキャップの先端部に固定されていると、この多重成形体により、化粧料容器の操作部やキャップの目印としての機能を果たすことができる。
【発明の効果】
【００１２】
このように本発明によれば、よりアイキャッチ効果が高い多重成形体付き化粧料容器を提供できる。
【図面の簡単な説明】
【００１３】
【図１】本発明の実施形態に係る多重成形体付き化粧料容器を示す斜視図である。
【図２】図１に示す多重成形体付き化粧料容器の縦断面図である。
【図３】図１及び図２中の多重成形体を示す斜視図である。
【図４】図３に示す多重成形体の側面図である。
【発明を実施するための形態】
【００１４】
以下、本発明による多重成形体付き化粧料容器の好適な実施形態について図１〜図４を参照しながら説明する。図１は、本発明の実施形態に係る多重成形体付き化粧料容器を示す斜視図、図２は、多重成形体付き化粧料容器の縦断面図であり、本実施形態では、棒状化粧料繰出容器を化粧料容器として説明する。
【００１５】
図１及び図２に示すように、多重成形体付き化粧料容器１００は、化粧料容器１と、化粧料容器１の後端部に備えられ多重成形により形成された多重成形体２と、を具備している。
【００１６】
化粧料容器１は、全体形状が筆記具の如き丸棒状を呈するものであり、容器外形を構成し容器前部を形成する先筒３及び容器後部を形成する操作筒（操作部）４と、図２に示すように、先筒３内に収容された棒状化粧料Ｍと、棒状化粧料Ｍを支持すると共に螺合部の一方を備える移動体としての棒状化粧料支持体５と、螺合部の他方を備える雌螺子部材６と、雌螺子部材６と先筒３内との間に介装された圧縮コイルバネ７と、を概略備える。
【００１７】
先筒３は、長尺な円筒状に構成され、先端部の外周面が多少先細りする形状とされている。先筒３の後端部の内周面には、操作筒４を軸線方向に係合するための凹部３ａが円環状に設けられている。
【００１８】
先筒３には、先端の開口３ｂから後方へ向かって延び棒状化粧料Ｍの摺動を可能とする棒状化粧料孔３ｃが設けられる。この棒状化粧料孔３ｃの周囲の複数箇所（ここでは四等配の位置）には、開口３ｂの近傍から先筒３の後部側に亘って、棒状化粧料支持体５の後述する支持片５ｄを収容し摺動を可能とする支持片溝３ｄが連設される。そして、これらの棒状化粧料孔３ｃ及び当該棒状化粧料孔３ｃ周囲の支持片溝３ｄ〜３ｄにより、棒状化粧料Ｍ及び支持片５ｄが摺動する進退孔３ｅが構成される。ここでは、棒状化粧料孔３ｃは棒状化粧料Ｍと同様な断面円形とされる。そして、支持片溝３ｄの先端面が、棒状化粧料支持体５の支持片５ｄの先端が突き当たる棒状化粧料支持体５の前進限とされる。
【００１９】
また、先筒３の後部で進退孔３ｅに続く部分には、段部３ｆを介して断面円形に拡径される大径孔３ｇが、圧縮コイルバネ７及び雌螺子部材６並びに後述する操作筒４の円筒部４ｄを収容する領域として設けられている。
【００２０】
棒状化粧料支持体５は、棒状化粧料Ｍの後端部を支持するための支持部５ａと、支持部５ａより後側に設けられ、雌螺子部材６の後述する雌螺子である螺合突起６ｂに螺合する雄螺子５ｂと、を備える。雄螺子５ｂは、軸線方向に長尺に延在する。
【００２１】
前側の支持部５ａは、棒状化粧料Ｍの後端面を突き当てるための基部５ｃと、この基部５ｃから前方へ所定長突出し周方向の複数位置（ここでは四等配の位置）に設けられ、基部５ｃに突き当てられた棒状化粧料Ｍの後端部を相互間に挟んで支持する支持片５ｄと、を備える。
【００２２】
操作筒４は、先筒３との相対回転により棒状化粧料Ｍを進退させるためのものであり、化粧料容器１の後端部を構成している。操作筒４は有底円筒状に形成され、軸線方向中程の中央部４ａの外周面が拡径されている。中央部４ａは、外方に露出し使用者により握られて回転操作され得るものである。操作筒４の中央部４ａより前側の円筒部４ｄは、先筒３の後端部の大径孔３ｇに進入する部分とされている。操作筒４の円筒部４ｄの外周面には、先筒３の凹部３ａに軸線方向に係合するための凸部４ｂが円環状に設けられている。また、操作筒４の中央部４ａより後側の有底円筒部４ｅは、多重成形体２の後述の円筒状の装着部１１に内挿されるものである。操作筒４の内周面には、周方向に沿って凹凸が連なり当該凹凸が軸線方向に延びるローレット４ｃが、雌螺子部材６を回転方向に係合するためものとして設けられている。
【００２３】
雌螺子部材６は、略円筒状に構成され、軸線方向中程より多少前側に円形の鍔部６ａを備える。雌螺子部材６の内周面の先端部には、棒状化粧料支持体５の雄螺子５ｂに螺合する一対の螺合突起（雌螺子）６ｂ，６ｂが対向して設けられる。また、雌螺子部材６の鍔部６ａより後側には、周方向に沿って離間され軸線方向に延びる突条６ｃが、操作筒４のローレット４ｃを回転方向に係合するものとして設けられる。
【００２４】
圧縮コイルバネ７は、雌螺子部材６の鍔部６ａより前側の部分を囲繞すると共に、先筒３の段部３ｆと雌螺子部材６の鍔部６ａとの間に挟まれるように配置される。なお、圧縮コイルバネ７に代えて例えば樹脂バネ等を用いても良い。
【００２５】
そして、先ず、雌螺子部材６の螺合突起６ｂ，６ｂに棒状化粧料支持体５の雄螺子５ｂを、基部５ｃと雌螺子部材６の先端面とが接するように螺子込み、次いで、先筒３の段部３ｆに当接するように圧縮コイルバネ７を先筒３に内挿する。そして、棒状化粧料支持体５及び雌螺子部材６を、その先端側から先筒３の後端側に内挿し、その支持片５ｄが先筒３の支持片溝３ｄに進入するようにして、進退孔３ｅに内挿する。従って、棒状化粧料支持体５の支持片５ｄが進入する支持片溝３ｄは、棒状化粧料支持体５の回り止めとされ、棒状化粧料支持体５は、先筒３に対して軸線方向に移動可能且つ軸線周りに同期回転可能に装着される。
【００２６】
そして、操作筒４の中央部４ａより前側の円筒部４ｄを、先筒３の大径孔３ｇに進入させ、雌螺子部材６の突条６ｃを操作筒４のローレット４ｃに進入させ回転方向に係合することによって、雌螺子部材６と操作筒４とを軸線周りに同期回転可能とし、操作筒４の中央部４ａの先端面を、先筒３の後端面に突き当て、操作筒４の凸部４ｂが先筒３の凹部３ａに軸線方向に係合することによって、先筒３に対して操作筒４が軸線方向に移動不能且つ軸線周りに回転可能に装着される。この状態で、雌螺子部材６の鍔部６ａは、圧縮コイルバネ７の付勢力により後方へ押圧され、雌螺子部材６の鍔部６ａは操作筒４の先端面に当接した状態になっている。この圧縮コイルバネ７は、そのバネ定数が、筆圧よりも大きく設定されていると共に、多重成形体付き化粧料容器１００を例えば落下させたとき等に雌螺子部材６に作用する衝撃等を緩衝し、雌螺子部材６に螺合する棒状化粧料支持体５の棒状化粧料Ｍを保護する役目を果たす。
【００２７】
棒状化粧料Ｍは、先筒３の開口から挿入され棒状化粧料支持体５の支持片５ｄに支持される。棒状化粧料Ｍは、ここではリップ用とされ、断面円形で略円柱状に構成され、軸心を通る部分で半分にそれぞれ色分けされた２つの半円柱状の化粧料Ｍ１，Ｍ２を一体化したものとされている。このような二色成形は、例えば特開２０１５−４４７８３号に記載の公知の方法等を用いて成形されている。そして、この棒状化粧料Ｍでは、２色のグラデーションを作るのが好適である。勿論、１色を適所に塗布しても良い。ここでは、化粧料Ｍ１は赤色、化粧料Ｍ２はピンク色にされている。因みに、２色の化粧料Ｍ１，Ｍ２は半々の割合以外で分けられていても良い。なお、図においては、赤色の化粧料Ｍ１に対して、赤色を表すべくドットが粗に複数付され、ピンク色の化粧料Ｍ２に対して、ピンク色を表すべくドットが密に多数付され、ドットの粗密により色分けを表現している。
【００２８】
このような化粧料容器１を用い、使用者により、先筒３と操作筒４（多重成形体２でも可）とが一方向である繰り出し方向に相対回転（回転操作）されると、先筒３と同期回転可能な棒状化粧料支持体５の雄螺子５ｂと、操作筒４と同期回転可能な雌螺子部材６の螺合突起６ｂ，６ｂによる螺合作用が働き、棒状化粧料支持体５が前進し、棒状化粧料Ｍは先筒３の開口３ｂから出現して、２色を始めとした塗布に供することができる。塗布が終了し、使用者により、先筒３と操作筒４とが一方向の反対方向である繰り戻し方向に相対回転（回転操作）されると、棒状化粧料支持体５が後退し、棒状化粧料Ｍが先筒３の開口３ｂから没入する。
【００２９】
なお、雄螺子５ｂの後端部の一部には、後端面から所定長延びて内外を連通するスリット５ｅが設けられている。このスリット５ｅは、棒状化粧料支持体５が前進限においてそれ以上繰り出し方向に回転操作された際に過大な負荷が作用しないように螺合突起６ｂとの螺合を解除し空転させるためのものである。この場合、螺合解除後の逆回転により、雄螺子５ｂと螺合突起６ｂが螺合復帰し、棒状化粧料支持体５の後退が可能となる。
【００３０】
次に、本実施形態の特徴を成す多重成形体２について説明する。図３は、多重成形体を示す斜視図、図４は、多重成形体の側面図である。
【００３１】
多重成形体２は、色の異なる溶融樹脂を金型内に順番に射出し一体的に成形する工法により得られるものであり、透明な樹脂材料から形成された柱体８と、柱体８内に複数個（ここでは、２個）が埋設され、樹脂材料から形成されて着色された立体有形物Ｔ１，Ｔ２と、を備えている。
【００３２】
透明な樹脂材料としては、例えば、ＡＳ（アクリル・スチレン）、ＰＣ（ポリカーボネート）、ＰＭＭＡ（アクリル）、ＰＥＴ（ポリエチレンテレフタレート）等が挙げられる。また、樹脂材料の着色は、例えば上記透明な樹脂材料に例えば顔料等の色材を加えることにより成される。
【００３３】
柱体８は、透明な樹脂材料から形成され天面９及び底面１０を有する筒状体を有し、筒状体と立体有形物Ｔ１，Ｔ２との間に、透明な樹脂材料が充填されることにより多重成形体２が形成されている。この柱体８の底面１０には、柱体８と共に透明な樹脂材料から形成された円筒状の装着部１１が、一体成形されている。
【００３４】
柱体８としては、例えば円柱、多角柱が挙げられる。化粧料容器１の外周面が円形の場合には、当該円形に合わせた円柱を採用するのが好ましく、化粧料容器１の外周面が多角形の場合には、当該多角形に合わせた多角柱を採用するのが好ましい。ここでは、化粧料容器１の外周面が円形のため、柱体８を円柱として説明する。
【００３５】
着色された立体有形物Ｔ１，Ｔ２は、ここでは、球とされ、遠近感が、より生じるように、柱体８の軸線方向や軸線方向に直交する方向に互いにずれて配置され、さらに離間して配置されている。立体有形物Ｔ１，Ｔ２は、球に限定されるものではなく、例えば花びらや蝶のような他の立体有形物同士を採用することもできる。また、立体有形物Ｔ１，Ｔ２同士は違う形状であっても良い。また、立体有形物Ｔ１，Ｔ２は、接触していても良い。また、ここでは、大きい立体有形物Ｔ１と、小さい立体有形物Ｔ２を設けているが、立体有形物Ｔ１，Ｔ２は同じ大きさであっても良い。
【００３６】
そして、ここでは、化粧料容器１に収容されている２つ（２色）の化粧料Ｍ１，Ｍ２と同数の立体有形物Ｔ１，Ｔ２が配置されている。さらに、ここでは、立体有形物Ｔ１は、化粧料Ｍ１と同色の赤色とされ、立体有形物Ｔ２は、化粧料Ｍ２と同色のピンク色とされている。なお、図においては、化粧料Ｍ１，Ｍ２の場合と同様に、赤色の立体有形物Ｔ１に対して、赤色を表すべくドットが粗に複数付され、ピンク色の立体有形物Ｔ２に対して、ピンク色を表すべくドットが密に多数付され、ドットの粗密により色分けを表現している。
【００３７】
装着部１１は、柱体８の底面１０に一体的に連設され、円筒状を呈している。この装着部１１は、柱体８の底面１０より多少小径に形成されている。
【００３８】
そして、図２に示すように、装着部１１が、操作筒４の有底円筒部４ｅに外挿され、装着部１１の先端面が操作筒４の中央部４ａの後端面に当接すると共に、柱体８の底面１０が操作筒４の有底円筒部４ｅの底面に当接することにより、有底円筒部４ｅに対して多重成形体２が接着固定される。なお、有底円筒部４ｅと多重成形体２の装着部１１とは嵌合固定等でも良い。そして、透明な装着部１１を通して操作筒４の有底円筒部４ｅが見えないように、円筒状のカバーリング１２が、多重成形体２の装着前に、装着部１１を外側から覆うように外挿され、接着や嵌合等により取り付けられている。
【００３９】
このように、本実施形態によれば、透明な樹脂材料から形成された柱体８内に、樹脂材料から形成され着色された立体有形物Ｔ１，Ｔ２が複数個埋設されているため、各立体有形物Ｔ１，Ｔ２の光の屈折の効果により、各立体有形物Ｔ１，Ｔ２が宙に浮遊しているように見えるのに加えて、複数の立体有形物Ｔ１，Ｔ２が同時に見えることにより、立体有形物Ｔ１，Ｔ２同士を見比べることができ、立体有形物Ｔ１，Ｔ２が宙に浮遊しているように見える度合いを一層高めることができ、よりアイキャッチ効果を高めることができる。なお、１個の立体有形物の場合には、比較する立体有形物がないため、浮遊して見える効果が低く、立体有形物を複数とした場合に比して、アイキャッチ効果は低くなる。
【００４０】
また、化粧料容器１に収容されている化粧料Ｍ１，Ｍ２と同数の立体有形物Ｔ１，Ｔ２を備えているため、立体有形物Ｔ１，Ｔ２の数を認識することにより、化粧料容器１に収容されている化粧料Ｍ１，Ｍ２の数を把握することができ、使い勝手が良い。
【００４１】
また、化粧料容器１には化粧料Ｍ１，Ｍ２が複数色収容され、立体有形物Ｔ１，Ｔ２の各々は、化粧料Ｍ１，Ｍ２のそれぞれと同色とされているため、各立体有形物Ｔ１，Ｔ２の色を見れば、化粧料容器１に収容されている化粧料Ｍ１，Ｍ２の色を把握することができ、使い勝手が良い。特に、多重成形体付き化粧料容器１００を複数所有し、各々の多重成形体付き化粧料容器１００で、収容されている化粧料Ｍ１，Ｍ２の色が違う場合には、使用者は、それぞれの多重成形体２の立体有形物Ｔ１，Ｔ２の色によって、同色の化粧料Ｍ１，Ｍ２を収容する多重成形体付き化粧料容器１００を簡易に判別でき、使い勝手が良い。
【００４２】
また、多重成形体２は、化粧料容器１の後端部の操作筒４に固定されているため、この多重成形体２により、化粧料容器１の操作筒４の目印としての機能を果たすことができる。すなわち、多重成形体２を見ることにより、多重成形体２側に操作筒４があると認識できる。なお、先筒３の先端に着脱可能なキャップを設け、当該キャップの先端部に多重成形体２を固定し、この多重成形体２により化粧料容器１のキャップの目印としての機能を果たすようにしても良い。
【００４３】
なお、ここでは、リップ用として赤色とピンク色の組み合わせを採用しているが、他色同士を組み合わせても勿論良い。また、例えばコンシーラーであれば、例えば肌色と濃い肌色等の組み合わせが挙げられ、また、例えばアイシャドウであれば、濃淡のピンク等の組み合わせが挙げられ、選択する化粧料や流行により色の組み合わせを適宜変えるのが好ましい。
【００４４】
また、ここでは、棒状化粧料Ｍを、２色の半円柱状の化粧料Ｍ１，Ｍ２を一体化したものとしているが、多色グラデーションに好適な３色以上の化粧料を一体化したものであっても良い。また、棒状化粧料Ｍは断面円形のものに限定されず、例えば楕円芯でも良く、扁平芯でも良い。また、複数の立体有形物Ｔ１，Ｔ２が埋設された多重成形体２を有していれば、アイキャッチ効果が高まるため、棒状化粧料Ｍは単色の一本の棒状化粧料であっても良い。
【００４５】
以上、本発明をその実施形態に基づき具体的に説明したが、本発明は上記実施形態に限定されるものではなく、例えば、上記実施形態においては、立体有形物Ｔ１，Ｔ２が、多重成形体２の天面９や底面１０に当接せずに、宙に浮遊している効果を、より高めるようにしているが、天面９や底面１０に当接していても良く、この場合でも、互いの立体有形物Ｔ１，Ｔ２の光の屈折により、各立体有形物が宙に浮遊しているように見えるのに加えて、複数の立体有形物Ｔ１，Ｔ２が同時に見えることにより、立体有形物Ｔ１，Ｔ２同士を見比べることができ、立体有形物Ｔ１，Ｔ２が宙に浮遊しているように見える度合いを一層高めることができ、アイキャッチ効果を高めることができる。
【００４６】
また、上記実施形態においては、化粧料容器１に収容されている化粧料Ｍ１，Ｍ２と同数の立体有形物Ｔ１，Ｔ２を備えるようにし、立体有形物Ｔ１，Ｔ２の数を認識することにより、化粧料容器１に収容されている化粧料Ｍ１，Ｍ２の数を把握することができ、使い勝手が良いとされているが、アイキャッチ効果の観点からすれば、立体有形物Ｔ１，Ｔ２の個数は複数であれば、特に個数は限定されるものではない。
【００４７】
また、アイキャッチ効果の観点からすれば、複数の立体有形物を有していれば、化粧料の色と立体有形物の色は違っていても良く、例えば、立体有形物全てが同色であっても良く、また、一部が別色で同色が複数あっても良い。
【００４８】
また、本発明は、例えば特許第２７８１３４９号に記載の化粧料容器に対しても適用できる。すなわち、例えば片側に棒状化粧料である口紅、反対側に例えばブラシ等の塗布具が取り付けられ当該塗布具がキャップで覆われているものにも適用でき、この場合には多重成形体をキャップの先端部に固定するのが好ましい。また、例えば片側に固形化粧料（棒状化粧料）が配置されて一のキャップで覆われていると共に、反対側に例えばチップ等が配置されて別のキャップで覆われ、当該チップが例えばブラシ等の塗布具と交換できるものにも適用でき、この場合には、多重成形体２を一のキャップの先端部又は別のキャップの先端部に固定するのが好ましい。また、例えば特許第６１４３２２９号に記載の４色の例えば棒状化粧料等の描画材をそれぞれ使用できる多種ペンシルに対しても適用でき、ペンシルの後端部に多重成形体２を固定すれば良い。勿論、本発明は５色以上の化粧料を収容する化粧料容器に対しても適用できる。斯くの如く種々の化粧料容器に対して多重成形体２を適用でき、よりアイキャッチ効果を高めることができる。
【００４９】
さらにまた、本発明は、棒状化粧料Ｍを繰り出して使用する化粧料容器１以外にも適用可能であり、液状化粧料を収容し塗布に供する液状化粧料容器や、粉体化粧料を収容し塗布に供する粉体化粧料容器等に対しても適用可能であり、要は、化粧料を収容する化粧料容器全てに対して適用可能であり、さらには、顧客が店頭で手軽に試供可能なテスターとしても採用できる。
【符号の説明】
【００５０】
１…化粧料容器、２…多重成形体、４…操作筒（操作部）、８…柱体、９…天面、１０…底面、１００…多重成形体付き化粧料容器、Ｍ…棒状化粧料、Ｍ１．Ｍ２…化粧料、Ｔ１，Ｔ２…立体有形物。
【図１】
2019205601.tif 000003
【図２】
2019205601.tif 000004
【図３】
2019205601.tif 000005
【図４】
2019205601.tif 000006